(57)【要約】【課題】  焼却炉内でごみ等を焼却するのに空中の空気を汚すことがあり、焼却炉の中に大きいごみ等を入れて処理することが出来なかったが、本発明は、焼却炉本体を地中に沈めて、ごみ等を焼却炉の中で燃やして焼却するので、空中の空気を汚さない焼却炉を提供する。【解決手段】  焼却炉本体を地中に沈めて、スライドで焼却炉の蓋を開け閉めする部分を地上に出して、スライドで蓋を開くと大型のごみ等も楽々に焼却炉の中に入れることが出来て、蓋を閉めて焼却炉内のごみ等を燃やすことは、地上から清浄装置水槽の吸入送風機を作動して空気ガスを焼却炉の中に巡回して焼却すると空気を汚さなくて燃やせる焼却装置。【選択図】  図１
2010261659.tif 000002
【特許請求の範囲】
【請求項１】
空気を汚さない環境に優しい箱型焼却炉装置であり、地下に沈めてある箱型焼却炉内のゴミ等に、バーナーを作動して噴出口で炎を箱型焼却炉内に吹き込むと、箱型焼却炉内のゴミ等に燃え移り、炎が燃え上がって煙とガスが、煙ガス排出孔から煙突パイプの中に充満し、其の時、吸入排出送風機を作動すると、煙とガスを煙ガス吸入孔からガス清浄装置水槽の中に吸入して充満し、煙とガスが、清浄機の中の洗浄濾網を通って、不純物を取り除いた綺麗なガスに変化してガスタンクの中に充満して、ガスパイプの中を通って吸入排出送風機の中に空気とガスを同時に吸入して、吸入排出送風機の中で空気とガスを混合して、混合ガスを混合ガス排出孔から混合ガスパイプの中を通して箱型焼却炉の燃焼室に送り込で燃焼し、燃焼した煙とガスは、再度繰り返し煙ガス排出口から煙突パイプに充満し、吸入排出送風機の作動中は、繰り返しこの様にして巡回自動運転をして箱型焼却炉内のごみ等を完全に焼却し、吸入排出送風機の作動中にオーバーしたガスは、安全弁からガスタンク内の清浄した綺麗なガスを空中に放出するようにしてあり、地下に沈んだ箱型焼却炉の、ごみ等を箱型焼却炉の中で燃やして焼却するのに、安定した状態で、清浄した煙ガスと空気を混合して、混合ガスを箱型焼却炉の中に自動的に繰り返し巡回して送り、ごみ等を最後まで燃やし尽して焼却することを特徴とする吸入排出送風機に清浄した煙ガスと空気を同時に吸入して混合し、混合ガスを巡回してごみ等を燃やす箱型焼却炉装置。
【請求項２】
請求項１記載の箱型焼却炉装置の灰ガス吸入排出装置であり、箱型焼却炉内に残された灰は、灰ガス吸入排出機を作動して灰ガスを、灰ガス排出孔から、ガスパイプの中を通して灰ガス吸入孔に通して灰ガス吸入排出機に灰ガスを吸入して、灰ガス噴出孔から水中に噴出すると、灰は水中に沈下して、ガスだけが水面から上に上がり、ガス排出孔からガスパイプの中を通ってガス噴出孔から強い勢いで、排気ガスを連続に箱型焼却炉の中に噴出して、中の灰を掻き混ぜると、箱型焼却炉の中は、灰埃が一杯に充満し、地上では、連続して灰ガス吸入排出機を作動しているので、灰ガスを、灰ガス排出孔から、灰ガスパイプの中を通して灰ガス吸入孔から灰ガス吸入排出機に灰ガスを吸入して、再度繰り返し灰ガス噴出孔から水中に、灰ガスを強く連続して噴出しているうちに、灰の濃度が自然に薄くなり、この様に連続回転をすることによって箱型焼却炉内の灰ガスを、灰ガス吸入排出機で地上に巡回して、吸入して水中に沈下して処理することを特徴とする箱型焼却炉内の灰ガスを巡回して灰ガス吸入排出装置。
【請求項３】
請求項１記載の箱型焼却炉装置の煙ガス洗浄濾網装置であり、ガス清浄装置水槽の中に、煙ガス清浄機を設けて固定し、清浄機の中に洗浄濾網を設けて、ガス清浄装置水槽の上に、ガスタンクを設置して、其の横に水中ポンプを設置し、水中ポンプから清浄機に、水パイプを設置して、水中ポンプからガス清浄装置水槽の中の水にも汲み上げパイプを設置し、清浄機の開始については、ガス清浄装置水槽の中に不純物を含んだ煙ガスが充満して清浄機の中の洗浄濾網を通ってガスタンクの中に入る前に、水中ポンプを作動して、ガス清浄装置水槽の中の水を汲み上げて清浄機の中の洗浄濾網に水を送り、水で不純物を洗い流して、綺麗な洗浄ガスをガスタンクの中に送り込んで充満する様にしたところを特徴とする箱型焼却炉内の煙ガスを巡回して煙ガス洗浄濾網装置。
【請求項４】
請求項１記載の箱型焼却炉装置の吸入排出送風機装置であり、吸入排出送風機内に吸入する煙ガス吸入孔と空気吸入孔を別々に設けて、吸入排出送風機を作動すると、別々に設けた双方の吸入孔から、煙ガスと空気を同時に吸入排出送風機の中に吸入して、吸入排出送風機の中で煙ガスと空気を混合して、混合ガスを、混合ガスパイプの中を通して箱型焼却炉内に送り込んでゴミ等を燃やす様にしたところを特徴とする煙ガスと空気の吸入孔を別々に設けて固定し、煙ガスと空気を同時に吸入排出送風機内に吸入して混合ガスに変えて、混合ガスを噴出す吸入排出送風機装置。
【請求項５】
請求項１記載の箱型焼却炉装置の箱型焼却炉の蓋スライド装置であり、箱型焼却炉内にごみ等を投げ込み易い様にするために、開口部の口を大きく開ける事と、安全を守るために、蓋を水平にスライドにして開け閉めをする様にして、蓋の構成は、鉄板を二重にして、二重にした鉄板の間を大きな空洞にして、其の空洞に水を一杯に入れて、箱型焼却炉の運転開始を作動した時に、蓋の部分に制限を越える熱を与えない様にしたところを特徴とする箱型焼却炉の蓋スライド装置。
【発明の詳細な説明】
【技術分野】
【０００１】
本発明は、箱型焼却炉内でゴミ等を焼却するのに周辺の空気を汚さないで、焼却炉内のごみ等を、焼却することに関することである。
【背景技術】
【０００２】
従来の焼却炉は、殆どの焼却炉本体が地上に据付けられて、ごみ等を焼却炉内で焼却してあるために、何かにつけて周辺の空気を汚す様なことがあり、煙突の突先を直接空中に出してある焼却炉については、多く空気を汚していることが見られることである。
【発明の開示】
【発明が解決しようとする課題】
【０００３】
焼却炉内で、ごみ等を焼却することに対して全く空中の空気に、熱もガスも出さない様にすることについては、非常に難しいことである。
【課題を解決するための手段】
【０００４】
上記の目的を達するために本発明は、箱型焼却炉本体を地の中に沈めて、ごみ等を地の中で燃やして焼却し、煙とガスは、地上のガス清浄装置水槽３０の中に吸入して、煙とガスの清浄機６２内の洗浄濾網６３で綺麗なガスに浄化して吸入排出送風機７０で新鮮な空気とガスを混合して箱型焼却炉の燃焼室内に送り込むことを、自動的に巡回する様にして、直接空中の空気に、煙ガスを出さないから、第1条件の空気を汚すことの無いものである。
【０００５】
本発明の箱型焼却炉の焼却装置は、以上の様な構成でごみ等を焼却するので、空中の空気に直接に熱が触れる面積が少ない事と、焼却炉内の灰を巡回方式で地上の清浄水槽の中に、吸入排出して水中に沈下するから、空中の空気に灰埃を、飛散することは無いものである。
【発明の効果】
【０００６】
本発明の箱型焼却炉は、箱型焼却炉本体を地の中に沈めて上の蓋の部分のごみ等を投げ込む部分の開口部縁を危険を避けるために地面より上に約５００ミリから７００ミリ程度出して箱型焼却炉を据付けて設置すると、焼却炉が箱型であるから、中の面積と、ごみ等を投げ込む開口部の面積がほぼ同じであるから、非常にごみ等を投げ込むのに簡単であり、大型のごみ等も楽々に箱型焼却炉の中に投げ込まれて、1度に沢山のごみ等を投げ込んで焼却することができるものである。
【０００７】
本発明の箱型焼却炉は、地下でごみ等を焼却するために、1度に沢山のごみ等を焼却しても地上の空気を汚さない事と、地上の空気に熱を与えないために安心して焼却することが出来るものである。
【図面の簡単な説明】
【０００８】
【図１】は、箱型焼却炉とパイプ関係の平面図である。
【図２】は、清浄水槽とガス清浄装置水槽が一体であり、これに関連した機械、機器関係とパイプの平面図である。
【図３】は、地下の箱型焼却炉を右面から見たところの側面図である。
【図４】は、地下の箱型焼却炉を前面から見たところの正面図である。
【図５】は、清浄水槽とガス清浄装置水槽が一体であり、これに関連したガスタンクと機械機器関係の図であり、右面から見た一部断面図である。
【図６】は、清浄水槽と、此れに関連した機械、機器関係を前から見た正面図である。
【図７】は、灰ガス吸入排出機の正面から見た断面図である。
【図８】は、灰ガス吸入排出機の側面から見た断面図である。
【図９】は、ガス清浄水槽と、此れに関連した機械、機器を後から見た図である。
【図１０】は、ガス清浄水槽と、此れに関連した機械、機器を前から見た図である。
【発明を実施するための形態】
【０００９】
発明を実施するための形態について説明する。
本発明の箱型焼却炉は、箱型焼却炉本体を、地中に沈めてごみ等を地中で燃やして焼却するものであるから、地上では、箱型焼却炉の中に空気を送り込む事と、箱型焼却炉の中から、灰ガスを吸入排出して処理することの設備を整えたものであり、前記、請求項１〜４に記載された設備関係装置については、箱型焼却炉だけに、こだわるものでなくて、一般の焼却炉にも、取付けて設置することが可能なものである。
【００１０】
前記の目的を達するために、地上に、清浄水槽２０とガス清浄装置水槽３０を設けて、清浄水槽２０の上に灰ガスの吸入排出機５０を設けて固定し、箱型焼却炉の中から灰ガスを吸入排出機で吸い上げて、灰を清浄水槽の水中に沈下してガスだけを箱型焼却炉の中に噴出し、ガス清浄装置水槽３０の上にガスタンク６０を設けて、吸入排出送風機７０で箱型焼却炉の中に、ガスと空気の混合ガスを送り込み、箱型焼却炉の中から煙ガスを吸入して、ガス清浄装置水槽の中の清浄機６２の中で洗浄濾網を通って綺麗なガスに清浄化して、吸入排出送風機７０の中でガスと空気を混合して混合ガスを再度繰り返し箱型焼却炉の中に送り込むことを自動的に繰り返し作動するものである。
【実施例】
【００１１】
以下、本発明の実施の形態の添付図面を参照して説明する。
図１は、箱型焼却炉本体の平面図である。
１箱型焼却炉。２炎の噴出孔。３煙ガス排出孔。４混合ガス吸入孔。５灰ガス排出孔。６ガス噴出孔。１０点火バーナー。１１炎噴出パイプ。１２灰ガスパイプ。１３ガスパイプ。１４煙突パイプ。１５混合ガスパイプである。
【００１２】
図２は、清浄水槽とガス清浄装置水槽が一体であり、此れに関連した機械、機器関係とパイプの平面図である。
１２灰ガスパイプ。１３ガスパイプ。１４煙突パイプ。１５混合ガスパイプ。２０清浄水槽。２１ガス排出孔。３０ガス清浄装置水槽。３３煙ガス吸入孔。４０Ｖベルト。４１モーター。４２モーター。４３水中ポンプ。４４水パイプ。４５ドラム。５０灰ガス吸入排出機。５４灰ガス吸入孔。６０ガスタンク。６１安全弁。６２煙とガスの清浄機。７０吸入排出送風機。７１空気吸入孔。７２ガス吸入孔。７３混合ガス排出孔である。
【００１３】
図3は、地下の箱型焼却炉を右面から見たところの側面図である。
１箱型焼却炉。０開口部。２炎の噴出孔。３煙ガス排出孔。４混合ガス吸入孔。５灰ガス排出孔。６ガス噴出孔。７天蓋。８スライド蓋。９レール。１０点火バーナー。１１炎噴出パイプである。
【００１４】
図４は、地下の箱型焼却炉を前面から見たところの正面図である。
1箱型焼却炉。０開口部。３煙ガス排出孔。４混合ガス吸入孔。５灰ガス排出孔。６ガス噴出孔。８スライド蓋。9レール。１２灰ガスパイプ。１３ガスパイプ。１４煙突パイプ。
１５混合ガスパイプである。
【００１５】
図５は、清浄水槽とガス清浄装置水槽が一体であり、此れに関連した排気ガスタンクと機械機器関係の図であり、右面から見たところの一部断面図である。
２０清浄水槽。２１ガス排出孔。２２排水バルブ。２３灰取り出し口の蓋。２４灰ガス噴出孔。２５沈殿水。２６水面。３０ガス清浄装置水層。３１水。３２水面。３３煙ガス吸入孔。３４バルブ。４０Ｖベルト。４１モーター。４４水パイプ。５０灰ガス吸入排出機。６０ガスタンク。６１安全弁。６２煙ガスの清浄機。６３洗浄濾網。６４洗浄機の蓋である。
【００１６】
図６は、清浄水槽と、此れに関連した機械、機器関係を前から見た正面図である。１２灰ガスパイプ。１３ガスパイプ。２０清浄水槽。２２排水バルブ。２３灰取り出し口の蓋。２４灰ガス噴出孔。２７クリップ。４０Ｖベルト。４１モーター。５０灰ガス吸入排出機である。
【００１７】
図７は、灰ガス吸入排出機の正面から見た断面図である。
２４灰ガス噴出孔。５０灰ガス吸入排出機のカバー。５１羽。５２軸。５３腕である。
【００１８】
図８は、灰ガス吸入排出機の側断面図である。
２４灰ガス噴出孔。４０Ｖベルト。４５ドラム。５０灰ガス吸入排出機のカバー。
５１羽。５２軸。５３腕。５４灰ガス吸入孔である。
【００１９】
図９は、ガス清浄水槽と、此れに関連した機械、機器を後から見た図である。
１４煙突パイプ。１５混合ガスパイプ。３０ガス清浄装置水槽。３３煙ガス吸入孔。３４バルブ。４０Ｖベルト。４２モーター。６０ガスタンク。６１安全弁。６５ガスパイプ。７０吸入排出送風機である。
【００２０】
図１０は、ガス清浄水槽と、此れに関連した機械、機器を前から見た図である。
３０ガス清浄装置水槽。４０Ｖベルト。４２モーター。４３水中ポンプ。４４水パイプ。６０ガスタンク。６１安全弁。６２煙ガスの清浄機。６３洗浄濾網。６４洗浄機の蓋。６５ガスパイプ。７０吸入排出送風機である。
【００２１】
図２の清浄水槽２０とガス清浄装置水槽３０との間に、仕切壁２８を設けて固定し、この仕切り壁２８を境にして、二個の水槽を一つに纏めたものであり、前側が清浄水槽２０であり、その上に、灰ガス吸入排出機５０とモーター４１を設けて固定し、後側が、ガス清浄装置水槽３０であり、その上に、ガスタンク６０を固定して、ガスタンクの前横に、煙とガスの清浄機６２を設けて、水中ポンプ４４も設置して固定し、ガスタンクの右横に、吸入排出送風機７０を設けて、モーター４２も設置して固定してある。
【００２２】
箱型焼却炉1から清浄水槽２０の連結構成の目的は、灰ガス排出孔５から灰ガスパイプ１２から灰ガス吸入孔５４を通って灰ガス吸入排出機５０に灰ガスを吸入して、清浄水槽２０の水中に灰ガスを灰ガス噴出孔２４から勢いよく水中に噴出して、灰は水中に沈下し、ガスだけが水面２６の上に上がってガス排出孔２１からガスパイプ１３を通ってガス噴出孔６から勢いよくガスを噴出して灰を掻き混ぜて、洗濯機に、すすぎを掛けた様な状態で、繰り返し巡回の回転をしているうちに、灰の濃度が薄くなって箱型焼却炉内の灰を吸い上げる目的のものである。
【００２３】
焼却炉１からガス清浄装置水槽３０の連結構成の目的は、煙ガス排出孔３から煙突パイプ１４から煙ガス吸入孔３３から清浄装置水槽３０の中に煙ガスを吸入して充満し、煙ガスは、清浄機６２の中の洗浄濾網６３を通ってガスタンク６０の中に充満し、吸入排出送風機７０で煙ガスと空気を同時に吸入して混合ガスにして混合ガス排出孔７３から混合ガスパイプ１５を通って混合ガス吸入孔４から燃焼室１に繰り返し送って焼却する目的のものである。
【００２４】
地下に沈めてある箱型焼却炉１内のゴミ等に、バーナー１０を作動して噴出し口２で炎を箱型焼却炉内に吹き込むと、箱型焼却炉内のゴミ等に燃え移り、炎が燃え上がって、煙とガスが、煙ガス排気孔３から煙突パイプ１４の中に侵入して充満し、其の時、吸入排出送風機７０を作動すると、煙とガスを煙ガス吸入孔３３からガス清浄装置水槽３０の中に充満し、煙とガスが、清浄機６２の中の洗浄濾網６３を通って、不純物を取り除いた綺麗なガスに変化してガスタンク６０の中に充満して、ガスパイプ６５の中を通って吸入排出送風機７０の中に、吸入排出送風機に設けて固定してある空気吸入孔７１とガス吸入孔７２から空気とガスを同時に吸入して、吸入排出送風機７０の中で空気とガスを混合して、混合ガスを混合ガス排出孔７３から混合ガスパイプ１５の中を通して箱型焼却炉１の燃焼室に送り込んで燃焼し、燃焼した煙とガスは、再度繰り返し煙ガス排出口３から煙突パイプ１４に充満し、吸入排出送風機７０の作動中は、繰り返し、この様にして巡回自動運転をして箱型焼却炉内のごみ等を完全に焼却し、吸入排出送風機７０の作動中にオーバーしたガスは、安全弁６１からガスタンク６０内の清浄した綺麗なガスを空中に放出する様にしてあり、地下に沈んだ箱型焼却炉の、ごみ等を箱型焼却炉の中で燃やして焼却するのに、安定した状態で清浄した煙ガスと空気を混合して、混合ガスを箱型焼却炉の中に自動的に繰り返し巡回して送り、ごみ等を最後まで燃やし尽して焼却することを特徴とする吸入排出送風機７０に清浄した煙ガスと空気を同時に吸入して混合し、混合ガスを巡回してごみ等を燃やす箱型焼却炉装置である。
【００２５】
吸入排出送風機７０の吸入孔側を、煙ガス吸入孔７２と空気吸入孔７１を別々に設けて、吸入排出送風機７０を作動すると、双方の吸入孔７１、７２から、煙ガスと空気を同時に吸入排出送風機７０の中に吸入して、吸入排出送風機７０の中で煙ガスと空気を混合して、混合ガスを、混合ガスパイプ１５の中を通して箱型焼却炉１の中に送り込んで、ごみ等を燃やす様にしたところを特徴とする煙ガスと空気の吸入孔７１、７２を別々に設けて固定し、煙ガスと空気を同時に吸入排出送風機７０内に吸入して混合ガスに変えて、混合ガスを噴出す吸入排出送風機装置である。
【００２６】
安全弁６１は、蓋６６の鉄板の肉厚の重量でガスの圧力の調整をしたものであり、清浄機６２の中の洗浄濾網６３は、金属製の網目の小さい金属製網と金属の削り屑と木炭の屑を混ぜ合わせたものであるから、清浄機６２の中に水中ポンプ４３でガス清浄装置水槽３０の中の水３１を汲み上げて水パイプ４４で、水を清浄機６２の中に送り込むので洗浄濾網６３に水が流れて伝わり、洗浄濾網６３に通る煙ガスの不純物を全て水で洗い流す様にしたものである。
【００２７】
清浄機６２から洗浄濾網６３に通ってきたガスは綺麗なガスであるから、安全弁６１から空中に、オーバーしたガスを放出しても、僅かな量であれば、不純物を水で綺麗に洗い流して清浄したガスであるから空気を汚すこと無く焼却できる箱型焼却炉１である。
【００２８】
ガスタンク６０の中には綺麗に清浄されたガスが充満してあるから、ガスパイプ６５の中を通って吸入排出送風機７０でガスと空気を混合して、混合ガスを排出孔７３から混合ガスパイプ１５の中を通して混合ガス吸入孔４から燃焼室内に空気混合ガスを送り込むことを、吸入排出送風機７０の作動中は、繰り返し自動的に巡回し、作動中にオーバーしたガスは、安全弁６１から空中に清浄された綺麗なガスを放出するために空中の空気を酷く汚す様なことがないから、ごみ等を箱型焼却炉の中で焼却しても安定した焼却ができるものである。
【００２９】
箱型焼却炉内に残された灰は、灰ガス吸入排出機５０を作動して灰ガスを、灰ガス排出孔５からガスパイプ１２の中を通して灰ガス吸入孔５４に通して灰ガス吸入排出機５０に灰ガスを吸入して、灰ガス噴出孔２４から水中に噴出すると、灰は水中に沈下して、ガスだけが水面２６から上に上がり、ガス排出孔２１からガスパイプ１３の中を通ってガス噴出孔６から強い勢いで、排気ガスを連続に箱型焼却炉の中に噴出して、中の灰を掻き混ぜると、箱型焼却炉１の中は、灰埃が一杯に充満し、地上では、連続して灰ガス吸入排出機５０を作動しているので、灰ガスを、灰ガス排出孔５から、灰ガスパイプ１２の中を通して灰ガス吸入孔５４から灰ガス吸入排出機５０に灰ガスを吸入して、再度繰り返し灰ガス噴出孔２４から水中２５に、灰ガスを強く連続して噴出しているうちに、灰の濃度が自然に薄くなり、この様に連続回転をすることによって箱型焼却炉内の灰ガスを、灰ガス吸入排出機５０で地上に巡回して、吸入して水中に沈下して処理することを特徴とする箱型焼却炉の灰ガスを巡回して灰ガス吸入排出装置である。
【００３０】
ガス清浄装置水槽３０の中に、煙と灰清浄機６２を設けて固定し、清浄機６２の中に洗浄濾網６３を設けて、ガス清浄装置水槽３０の上に、ガスタンク６０を設置して、其の横に水中ポンプ４３を設置し、水中ポンプから清浄機６２に、水パイプ４３を設置して、水中ポンプ４３からガス清浄装置水槽の中の水にも汲み上げパイプを設置し、清浄機の開始については、ガス清浄装置水槽３０の中に不純物を含んだ煙ガスが充満して清浄機６２の中の洗浄濾網６３を通ってガスタンクの中に入る前に、水中ポンプを作動して、ガス清浄装置水槽３０の中の水３１を汲み上げて清浄機６２の中の洗浄濾網６３に水を送り、水で不純物を洗い流して、綺麗な洗浄ガスをガスタンクの中に送り込んで充満する様にしたところを特徴とする箱型焼却炉の煙ガスを巡回して煙ガス洗浄濾網装置である。
【００３１】
箱型焼却炉１内に、ごみ等を投込み易い様にするために、開口部０の口を大きく焼却炉の内部と同じ大きさに開ける事と、安全を守るために、蓋８を水平にスライドにして開け閉めをするようにして、蓋８の構成は、鉄板を二重にして、二重にした鉄板の間に大きな空洞を設けて、其の空洞に水を一杯に入れて、箱型焼却炉１の運転開始の作動をした時に、蓋８の部分に制限を越える熱を与えない様にしたところを特徴とする焼却炉の蓋スライド装置である。
【００３２】
地下に、箱型焼却炉を沈めて、上の蓋を水平にスライドで開け閉めする一部分の開口部縁を地面から上に約５００ミリから７００ミリ程度出して、ごみ等を箱型焼却炉の中に投げ込むようにすることについては、焼却炉が箱型であるから、焼却炉の内部の面積も広くて、ごみ等を投げ込む開口部の面積も内部の面積と同じのように開けられるから、幅が広くて大きいごみでも楽々に其の儘、箱型焼却炉の中に投げ入れて焼却することが出来るものであり、例えば、ベニヤ板一枚その儘、又は、畳のような物も一枚其の儘に箱型焼却炉の中に投げ込んで、スライドで蓋を水平に完全に閉めて、焼却することが出来るものであるから、大型ごみ、又は、型枠材のごみ等を焼却することに適したものである。
【００３３】
箱型焼却炉の蓋は、地上で水平にスライドで開け閉めするものであるから、天板と蓋板の鉄板については、鉄板を二重にして中に空間を大きく設けて、其の空間に水を入れて冷却装置にすると、空中の空気に熱を与えることを減少して、又は、蓋の浮き上がりに重量を持たせることができる。
【００３４】
箱型焼却炉の使用方法については、清浄水槽２０と、ガス清浄装置水槽３０とは、別々の役割のものであるから、例えば、ガス清浄装置水層３０と吸入排出送風機７０を作動して、箱型焼却炉内のごみ等に火を点けて燃やしている最中に、清浄水槽２０と灰ガス吸入排出機５０を作動する必要はない。ガス清浄装置水槽３０と吸入排出送風機７０で、箱型焼却炉内のごみ等を完全に焼き尽くした後に、清浄水槽２０と灰ガス吸入排出機５０を作動して、箱型焼却炉内の灰を吸入して清浄水槽の中に沈下するものである。
【００３５】
清浄水槽３０の中に沈下された灰を取り出すときは、灰取り出し口の蓋２３のクリップ２７を、横の方から、中ハンマーでクリップを逆に戻して、清浄水槽の中の水を抜いてから、クリップを全部取り外して、蓋を開いて、シャベルで、中の灰を取り出してから、又蓋を元の位置に戻し、クリップで固定して、清浄水槽の中に水を水面の位置まで入れておくものである。
【産業上の利用可能性】
【００３６】
本発明の箱型焼却炉は、箱型焼却炉本体を地の中に沈めて、1度に大量のゴミ等を焼却して空中に煙、又は、灰埃も出さないで焼却されて、大型ごみ等も箱型焼却炉の中に楽々に入れることが出来るものであり、焼却中であっても空中に熱を最低限に抑えることが出来て、箱型焼却炉内の灰の取り出しに於いても、空中に灰埃を立てないで取り出すことの出来る箱型焼却炉装置であり、請求項１〜４記載の設備関係装置については、箱型焼却炉だけに、こだわるものでなくて、一般の焼却炉にも、取付けて設置することも可能である。
尚、本発明の焼却装置は、世界的課題に挙げられている温暖化防止の低下にも、役立つものであり、一酸化炭層の削減にも可能である。
【符号の説明】
【００３７】
０開口部
１箱型焼却炉
２炎の噴出口
３煙ガス排出孔
４混合ガス吸入孔
５灰ガス排出孔
６ガス噴出孔
７天蓋
８スライド蓋
９レール
１０点火バーナー
１１炎噴出パイプ
１２灰ガスパイプ
１３ガスパイプ
１４煙突パイプ
１５混合ガスパイプ
２０清浄水層
２１ガス排出孔
２２排水バルブ
２３灰取り出し口の蓋
２４灰ガス噴出孔
２５沈殿水
２６水面
２７クリップ
２８仕切壁
３０ガス清浄装置水槽
３１水
３２水面
３３煙ガス吸入孔
３４バルブ
４０Ｖベルト
４１モーター
４２モーター
４３水中ポンプ
４４水パイプ
４５ドラム
５０灰ガス吸入排出機
５１羽
５２軸
５３腕
５４灰ガス吸入孔
６０ガスタンク
６１安全弁
６２煙ガスの清浄機
６３洗浄濾網
６４洗浄機の蓋
６５ガスパイプ
６６安全弁の蓋
７０吸入送風機
７１空気吸入孔
７２ガス吸入孔
７３混合ガス排出孔
【図１】
2010261659.tif 000003
【図２】
2010261659.tif 000004
【図３】
2010261659.tif 000005
【図４】
2010261659.tif 000006
【図５】
2010261659.tif 000007
【図６】
2010261659.tif 000008
【図７】
2010261659.tif 000009
【図８】
2010261659.tif 000010
【図９】
2010261659.tif 000011
【図１０】
2010261659.tif 000012
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
第１箱型焼却炉と、第２ガス清浄装置水槽とは、別々の場所に切り離して設置され、第1箱型焼却炉から、第2ガス清浄装置水槽と、ガス清浄装置水槽の上にも設置されてある吸入送風機との間をそれぞれに専用のパイプで接続して空気、ガスの混合ガスをパイプの中を通して箱型焼却炉の中に送ってごみ等を焼却することを特徴とする箱型焼却炉装置であり、
地下に沈めてある箱型焼却炉内のゴミ等に、バーナーを作動して噴出口から炎を箱型焼却炉内に吹き込むと、箱型焼却炉内のゴミ等に燃え移り、箱型焼却炉内は炎が燃え上がって煙とガスが、煙ガス排出孔から煙突パイプの中に充満し、その時、清浄装置水槽の上に吸入送風機のモーターと吸入送風機のファンとの間に、ファンの熱がモーターに伝わらない様に距離を開けて、モーターと吸入送風機を別々に設置して固定され、モーターと吸入送風機の間をVベルトで接続され、モーターを作動すると、モーターの回転によってＶベルトが回転してＶベルトの回転によって、吸入送風機のファンが回転され、吸入送風機のファンの回転によって、煙とガスを煙ガス吸入孔から、ガス清浄装置水槽の中に吸入されて充満し、充満された煙とガスが、清浄機の中の洗浄濾網の中に小さく砕かれた木炭と金属の削り屑を混ぜ合わせて調和したものを一杯に入れた洗浄濾網の入った清浄機を清浄装置水槽とガスタンクの中間に設置され、清浄装置水槽の上に設置されてある水中ポンプで清浄装置水槽の中の水を汲み上げて清浄機の中の洗浄濾網の中に連続して水を流すと、煙とガスが木炭と金属の削り屑を混ぜ合わせて調和した間に流れて、水で不純物を洗い流して、煙は活性炭で吸収され、綺麗なガスに変化されたガスだけが、ガスタンクの中に充満されて、ガスパイプの中を通って吸入送風機の中に空気と清浄されたガスを同時に吸入して、吸入送風機の中で空気と清浄されたガスを混合されて、混合ガスをガス排出孔から混合ガスパイプの中を通して箱型焼却炉の燃焼室に送り込んで燃焼し、燃焼された煙とガスは、再度繰り返し煙ガス排出孔から煙突パイプに充満され、吸入送風機の作動中は、以上の行程を連続して繰り返えし自動運転をすることによって箱型焼却炉内のごみ等を完全に焼き尽くし、吸入送風機の作動中にオーバーしたガスは、ガスタンクの中に綺麗に清浄されたガスをガスタンクの上に設置されてある安全弁から空中に放出され、地下に沈んだ箱型焼却炉内に、ガスと空気を混合して、混合ガスを自動的に繰り返し巡回して送り込み、ごみ等を最後まで箱型焼却炉内で綺麗に焼き尽くすことを特徴とする空気と混合ガス送風の箱型焼却炉装置。
【請求項２】
第１箱型焼却炉と、第2清浄水槽とは、別々の場所に切り離して設置され、第1箱型焼却炉から、第2清浄水槽と、清浄水槽の上にも設置されてある吸入排出機の間をそれぞれに専用のパイプで接続して、箱型焼却炉内の灰埃をパイプの中を通して地上に吸い上げて水中に沈下して処理することを特徴とする請求項1記載の箱型焼却炉装置であり、
箱型焼却炉内に残された灰は、清浄水槽の上に設置されてある灰、ガス吸入排出機のモーターと吸入排出機のファンとの間にファンの熱がモーターに伝わらない様に距離を開けて、モーターと吸入排出機を別々に設置して固定され、吸入排出機とモーターとの間をVベルトで接続してモーターを作動すると、モーターの回転によってＶベルトが回転して、Ｖベルトの回転によって、吸入排出機のファンが回転されて箱型焼却炉内のガスを、灰、ガス吸入穴から灰、ガスパイプの中を通って吸入排出機の中に、ガスを吸入され、吸入されたガスを噴出孔から、清浄水槽の水中に噴出すると、不純物は、水中に沈下して、ガスだけが水面から上に上がり、清浄水槽の中からガスパイプの中を通って再度、箱型焼却炉の中に強力な勢いでガスを噴出して、箱型焼却炉の中の灰をガスで掻き混ぜると、箱型焼却炉の中は、灰埃が一杯に充満され、以上の行程が１行程であり、2行程目からは、灰埃を灰、ガス吸入穴から灰、ガスパイプの中を通って吸入排出機の中に灰埃を吸入され、吸入された灰埃を噴出孔から、清浄水槽の水中に噴出すると灰と不純物は、水中に沈下されて、ガスだけが水面から上に上がり再度清浄水槽の中からガスパイプの中を通って箱型焼却炉の中にガスを強力に噴出して掻き混ぜて灰埃を作り、吸入排出機の作動中は、連続して繰り返し以上の行程が作動されている内に灰の濃度が自然に薄くなり、以上の様に連続回転をすることによって、箱型焼却炉内の灰埃を、灰、ガス吸入排出機で地上に吸入して水中に沈下し、繰り返し吸入して、吸入した灰埃を清浄水槽の中の水中に沈下して、外部の空気中に灰埃を出さないで灰を処理することを特徴とする箱型焼却炉装置。
【手続補正２】
【補正対象書類名】図面
【補正対象項目名】全図
【補正方法】変更
【補正の内容】
【図１】
2010261659.tif 000013
【図２】
2010261659.tif 000014
【図３】
2010261659.tif 000015
【図４】
2010261659.tif 000016
【図５】
2010261659.tif 000017
【図６】
2010261659.tif 000018
【図７】
2010261659.tif 000019
【図８】
2010261659.tif 000020
【図９】
2010261659.tif 000021
【手続補正３】
【補正対象書類名】明細書
【補正対象項目名】０００８
【補正方法】変更
【補正の内容】
【０００８】
【図１】は、箱型焼却炉装置全体の平面図である。
【図２】は、地下の箱型焼却炉を右面から見たところの側面図である。
【図３】は、地下の箱型焼却炉を前面から見たところの正面図である。
【図４】は、清浄水槽とガス清浄装置水槽が一体であり、これに関連したガスタンクと機械機器関係の図であり、右面から見た一部断面図である。
【図５】は、清浄水槽と、此れに関連した機械、機器関係を前から見た正面図である。
【図６】は、灰ガス吸入排出機の正面から見た断面図である。
【図７】は、灰ガス吸入排出機の側面から見た断面図である。
【図８】は、ガス清浄水槽と、此れに関連した機械、機器を後から見た図である。
【図９】は、ガス清浄水槽と、此れに関連した機械、機器を前から見た図である。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
箱型焼却炉（１）と、煙ガス清浄装置水槽（３０）とは、別々の場所に切り離して設置され、箱型焼却炉（１）の煙ガス排出孔（３）と煙ガス清浄装置水槽（３０）の煙ガス吸入孔（３３）との間が、煙突パイプ（１４）で接続、煙ガス清浄装置水槽（３０）の上に設置されてある吸入送風機（７０）の空気混合ガス排出孔（７３）と、箱型焼却炉（１）の空気混合ガス吸入孔（４）との間が、空気混合ガスパイプ（１５）で接続、煙ガス清浄装置水槽（３０）と、煙ガス清浄装置水槽（３０）の上に設置されてあるガスタンク（６０）との間が、洗浄濾網（６３）の入った煙ガス清浄機（６２）で接続、ガスタンク(６０)の上に安全弁(６１)が設置、煙ガス清浄装置水槽(３０)の上に設置されてある水中ポンプ(４３)と煙ガス清浄機(６２)との間が、水パイプ(４４)で接続、ガスタンク（６０）の側面に、ガス排出孔が設けられてガスパイプ（６５）の一方がガスタンク(６０)の側面の孔に取付けられて固定、ガスパイプ(６５)の他の一方が吸入送風機（７０）のガス吸入孔（７２）に接続、吸入送風機（７０）の空気吸入孔(７１)は空気地下吸入、吸入送風機(７０)の内部の構造は、長手方向の中央に回転軸棒(５２)が設けられて、前記回転軸棒(５２)の内部軸棒方向全面の間隔内に複数の羽(５１)が回転軸棒の長手方向に固定、煙ガス清浄装置水槽(３０)の上に設置されてあるモーター(４２)と吸入送風機(７０)との間がＶベルト(４０)で接続、箱型焼却炉(１)の横にバーナー(１０)が設置、バーナー(１０)と箱型焼却炉(１)との間が、パイプ(１１)で接続、以上の工法でモーター(４２)が作動されると、モーター(４２)の回転によって、Ｖベルト(４０)が回転され、Ｖベルト(４０)の回転と同時に、吸入送風機(７０)の中の複数の羽(５１)が回転されて、箱型焼却炉(１)から出る煙ガスが、各機器の中に巡回されて清浄ガスに変化され、清浄ガスと空気の混合ガスが、箱型焼却炉(１)内に送り込まれて焼却炉内のごみ等が最後まで綺麗に焼き尽くされることが特徴とされる箱型焼却炉内の煙ガスと空気の巡回焼却装置であり、
地下に沈めてある箱型焼却炉(１)の中に、ごみ等が一杯に入った箱型焼却炉(１)が作動されるには、バーナー(１０)が作動されて、パイプ(１１)の中から箱型焼却炉(１)の中の、ごみ等に燃え移り、箱型焼却炉内は炎で一杯になり、吸入送風機(７０)と水中ポンプ(４３)が作動されて、箱型焼却炉(１)の中の煙ガスが煙ガス排出孔(３)から煙突パイプ(１４)の中に通されて、煙ガス吸入孔(３３)から煙ガス清浄装置水槽(３０)の中に煙ガスが吸入されて充満され、充満された煙ガスは、煙ガス清浄機(６２)の中に小さく砕かれた木炭と金属の削り屑が混ぜ合わせられて調和された洗浄濾網(６３)の入った煙ガス清浄機(６２)の中に、煙ガスが通されて、不純物は、水中ポンプ(４３)から送られる水で洗い流され、煙ガスは、水分が含まれた活性炭に煙の濃度が吸収されて清浄された綺麗なガスが、煙ガス清浄装置水槽(３０)の上に設置されてあるガスタンク(６０)の中に吸入されて充満され、充満された清浄ガスが、ガスパイプ(６５)の中に通されて、吸入送風機(７０)の中に、ガスタンク(６０)の中の清浄ガスと空気が同時に吸入されて、清浄ガスと空気の混合ガスが連続に混合ガス排出孔(７３)から混合ガスパイプ(１５)の中に通されて箱型焼却炉(１)の中に清浄ガスと空気が送り込まれることによって、箱型焼却炉(１)の中のごみ等が長時間掛けて綺麗に焼き尽くされて、ガスタンク(６０)の中にオーバーされた清浄ガスは、安全弁(６１)から、清浄ガスの圧力で蓋(６６)が押し開けられて空中に放出されることが特徴とされる箱型焼却炉内の煙ガスと空気の巡回焼却装置。
【請求項２】
箱型焼却炉（１）と、清浄水槽（２０）とは、別々の場所に切り離して設置され、
箱型焼却炉（１）の灰ガス排出孔（５）と、清浄水槽（２０）の上に設置されてある灰ガス吸入排出機（５０）の灰ガス吸入孔（５４）との間が、灰ガスパイプ（１２）で接続、灰ガス吸入排出機（５０）と、清浄水槽（２０）の水面（２６）との間が、灰ガス噴出孔（２４）で接続、清浄水槽（２０）のガス排出孔（２１）と箱型焼却炉（１）のガス噴出孔（６）との間が、ガスパイプ（１３）で接続、清浄水槽(２０)の上に設置されてあるモーター(４１)と、灰ガス吸入排出機(５０)のドラム(４５)との間がＶベルト(４０)で接続、以上の工法で、モーター(４１)が作動されると、モーター(４１)の回転によってＶベルト(４０)が回転されて、灰ガス吸入排出機(５０)のドラム(４５)が回転され、前記ドラム(４５)が回転されることによって、灰ガス吸入排出機(５０)の中の複数の羽(５１)が同時に回転されて、複数の羽(５１)が回転する吸入力と排出力によって、箱型焼却炉(１)の中の灰埃とガスが、各機器の中に巡回されて、灰が処理されることが特徴とされる請求項１記載の箱型焼却炉内の灰ガス巡回灰吸い取り装置であり、
清浄水槽(２０)の上に設置されてあるモーター(４１)が作動されると、モーター(４１)の回転によってＶベルト(４０)が回転されて、Ｖベルト(４０)の回転によって、清浄水槽(２０)の上に設置されてある灰ガス吸入排出機(５０)のドラム(４５)が回転されて、前記ドラム(４５)が回転されると同時に、灰ガス吸入排出機(５０)の中の複数の羽(５１)が回転されて、箱型焼却炉(１)の中の灰埃が、灰ガス排出孔（５）から灰ガスパイプ（１２）の中に通されて、灰ガス吸入孔（５４）から灰ガス吸入排出機（５０）の中に灰埃が吸入され、灰ガス噴出孔（２４）から、清浄水槽（２０）の中の水中に灰埃が噴出されると、灰は水中に沈下され、水面（２６）より上に浮き上がったガスが、再度清浄水槽（２０）のガス排出孔（２１）から、ガスパイプ（１３）の中に通されて充満され、充満されたガス圧力で、ガス噴出孔（６）から、箱型焼却炉（１）の中に強力な圧力でガスが噴出されると、箱型焼却炉（１）の中が、ガスで掻き混ぜられて灰埃が充満され、充満された灰埃が、再度、繰り返し連続に巡回されることによって、箱型焼却炉内の灰埃の濃度が薄くなり、箱型焼却炉内の灰の量が減少されることが特徴とされる焼却炉内の灰ガス巡回灰吸い取り装置。
【手続補正３】
【補正対象書類名】明細書
【補正対象項目名】０００４
【補正方法】変更
【補正の内容】
【０００４】
上記の目的を達するために本発明は、箱型焼却炉１と、ガス清浄装置水槽３０とは、別々の場所に切り離して設置され、箱型焼却炉１の煙ガス排出孔３と、ガス清浄装置水槽３０の煙ガス吸入孔３３との間が煙突パイプ１４で接続されて、煙ガス清浄装置水槽３０の上に、設置されてある吸入送風機７０の混合ガス排出孔７３と箱型焼却炉１の空気混合ガス吸入孔４との間が混合ガスパイプ１５で接続されて、吸入送風機７０が作動されると、箱型焼却炉１の中から出る煙ガスは、煙突パイプ１４の中に通されて煙ガス清浄装置水槽３０の中に充満され、充満された煙ガスは、煙ガス清浄機６２の中の洗浄漉網６３の中に通されて綺麗な清浄ガスに変化されて、煙ガス清浄装置水槽３０の上に設置されてあるガスタンク６０の中に貯蔵され、貯蔵されたガスタンク６０の中の清浄ガスが、吸入送風機７０の中に清浄ガスと空気が同時に吸入されて、吸入送風機７０の中で掻き回された空気との混合ガスが、吸入送風機７０の混合ガス排出孔から、混合ガスパイプ１５の中に空気との混合ガスが通されて箱型焼却炉１の中に空気との混合ガスが連続に送り込まれて箱型焼却炉内のごみ等が最後まで綺麗に焼き尽くされる箱型焼却炉１であり、ガスタンク６０の中にオーバーされた清浄ガスは、清浄ガスに基準を超えるガス圧力が掛かった場合のみ、ガスの圧力で安全弁の蓋が押し開けられて一部外の空気に放出される場合があるが、放置される量は僅かであり、又は、清浄された煙ガスであるから、空気が汚れる様な事は殆ど少ないものであり、安心して最後までごみ等が箱型焼却炉内で綺麗に焼き尽くされる箱型焼却炉である。
【手続補正４】
【補正対象書類名】明細書
【補正対象項目名】０００５
【補正方法】変更
【補正の内容】
【０００５】
本発明の箱型焼却炉１は、前記の様な構成であるために、焼却炉内から高熱が含まれた灰ガス及び、煙ガスであっても、長時間に続けて各機器に繰り返し巡回し続けて連続に、煙ガスと空気の混合ガスが、箱型焼却炉１の中に送り込まれて箱型焼却炉１の中のごみ等が綺麗に焼き尽くされる焼却炉であり、又は、箱型焼却炉１の中に燃え残される灰は、箱型焼却炉１の灰ガス排出孔５と、地上の清浄水槽２０の上に設置されてある灰ガス吸入排出機５０の灰ガス吸入孔との間が灰ガスパイプ１２で接続されて、清浄水槽２０のガス排出孔２１と、箱型焼却炉１のガス噴出孔６との間がガスパイプ１３で接続されて、灰ガス吸入排出機５０が作動されると、箱型焼却炉１の中の灰埃が、連続にパイプの中に通されて各機器の中に巡回されて、灰は、清浄水槽２０の中の沈殿水２５の中に沈下されて、ガスだけが箱型焼却炉１の中に戻す仕組みの巡回装置であるために、繰り返し作動されている間に箱型焼却炉１内の灰の量が減少されて、空中の空気中には全く灰埃は出さないで箱型焼却炉１内の灰が処理される箱型焼却炉である。